【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
複数の光束を偏向して複数の被走査面を主走査方向に走査する偏向器と、副走査断面において互いに異なる入射角で前記偏向器に光束を入射させる複数の入射光学系と、前記偏向器によって偏向された複数の光束を前記複数の被走査面に導光する結像光学系と、を備え、
前記結像光学系は、副走査方向において連結部を介して互いに連結された第１及び第２の光学部を有しており、
前記連結部を含む第１の平面内において、前記第１の光学部の第１の入射面と前記第２の光学部の第２の入射面とは、第１の点の上で重なっており、
前記第１の平面内において、主走査方向における前記第１の点に対して一方の側の第１の領域では、前記第１の入射面が光軸方向において前記第２の入射面よりも前記偏向器の側にあり、
前記第１の平面内において、主走査方向における前記第１の点に対して他方の側の第２の領域では、前記第２の入射面が光軸方向において前記第１の入射面よりも前記偏向器の側にある、ことを特徴とする光走査装置。
【請求項２】
複数の光束を偏向して複数の被走査面を主走査方向に走査する偏向器と、副走査断面において互いに異なる入射角で前記偏向器に光束を入射させる複数の入射光学系と、前記偏向器によって偏向された複数の光束を前記複数の被走査面に導光する結像光学系と、を備え、
前記結像光学系は、副走査方向において連結部を介して互いに連結された第１及び第２の光学部を有しており、
前記連結部を含む第１の平面内において、前記第１の光学部の第１の出射面と前記第２の光学部の第２の出射面とは、第２の点の上で重なっており、
前記第１の平面内において、主走査方向における前記第２の点に対して一方の側の第３の領域では、前記第２の出射面が光軸方向において前記第１の出射面よりも前記偏向器の側にあり、
前記第１の平面内において、主走査方向における前記第２の点に対して他方の側の第４の領域では、前記第１の出射面が光軸方向において前記第２の出射面よりも前記偏向器の側にある、ことを特徴とする光走査装置。
【請求項３】
複数の光束を偏向して複数の被走査面を主走査方向に走査する偏向器と、副走査断面において互いに異なる入射角で前記偏向器に光束を入射させる複数の入射光学系と、前記偏向器によって偏向された複数の光束を前記複数の被走査面に導光する結像光学系と、を備え、
前記結像光学系は、副走査方向において連結部を介して互いに連結された第１及び第２の光学部を有しており、
前記連結部を含む第１の平面内において、前記第１の光学部の第１の入射面と前記第２の光学部の第２の入射面とは、第１の点の上で重なっており、
前記第１の平面内において、主走査方向における前記第１の点に対して一方の側の第１の領域では、前記第１の入射面が光軸方向において前記第２の入射面よりも前記偏向器の側にあり、
前記第１の平面内において、主走査方向における前記第１の点に対して他方の側の第２の領域では、前記第２の入射面が光軸方向において前記第１の入射面よりも前記偏向器の側にあり、
前記第１の平面内において、前記第１の光学部の第１の出射面と前記第２の光学部の第２の出射面とは、第２の点の上で重なっており、
前記第１の平面内において、主走査方向における前記第２の点に対して一方の側の第３の領域では、前記第２の出射面が光軸方向において前記第１の出射面よりも前記偏向器の側にあり、
前記第１の平面内において、主走査方向における前記第２の点に対して他方の側の第４の領域では、前記第１の出射面が光軸方向において前記第２の出射面よりも前記偏向器の側にある、ことを特徴とする光走査装置。
【請求項４】
前記第１の平面内において、前記第１及び第２の光学部の入射面同士及び出射面同士の少なくとも一方は、前記第１の光学部の主走査方向での有効径をａ：（１０−ａ）に分ける点（但し、ａは８以上）の上で重なることを特徴とする請求項１乃至３のいずれか１項に記載の光走査装置。
【請求項５】
前記第１の平面と前記第１の光学部の入射面との第１の交線と、前記第１の平面と前記第２の光学部の入射面との第２の交線と、の光軸方向での最大間隔をΔｓａｇ１（ｍｍ）、前記第１の平面と前記第１の光学部の出射面との第３の交線と、前記第１の平面と前記第２の光学部の出射面との第４の交線と、の光軸方向での最大間隔をΔｓａｇ２（ｍｍ）、としたとき、
０≦Δｓａｇ１≦０．２
０≦Δｓａｇ２≦０．２
なる条件を満たすことを特徴とする請求項１乃至４のいずれか１項に記載の光走査装置。
【請求項６】
前記第１の光学部の入射面に入射する軸上のマージナル光線の副走査方向での光線高さと前記第２の光学部の入射面に入射する最軸外のマージナル光線の副走査方向での光線高さとの中間位置をＺｉ（ｍｍ）、前記連結部の副走査方向での位置をＺ１（ｍｍ）、としたとき、
Ｚｉ−０．５≦Ｚ１≦Ｚｉ＋０．５
なる条件を満たすことを特徴とする請求項１乃至５のいずれか一項に記載の光走査装置。
【請求項７】
前記第１の光学部の出射面から出射する軸上のマージナル光線の副走査方向での光線高さと前記第２の光学部の出射面から出射する最軸外のマージナル光線の副走査方向での光線高さとの中間位置をＺｅ（ｍｍ）、前記連結部の副走査方向での位置をＺ１（ｍｍ）、としたとき、
Ｚｅ−０．５≦Ｚ１≦Ｚｅ＋０．５
なる条件を満たすことを特徴とする請求項１乃至６のいずれか一項に記載の光走査装置。
【請求項８】
前記複数の入射光学系は、主走査断面において互いに異なる角度から前記偏向器に光束を入射させる２つの入射光学系を含むことを特徴とする請求項１乃至７のいずれか一項に記載の光走査装置。
【請求項９】
前記複数の入射光学系は、光軸を含む主走査断面に対して互いに同じ側から前記偏向器に光束を入射させる２つの入射光学系を含むことを特徴とする請求項１乃至８のいずれか一項に記載の光走査装置。
【請求項１０】
前記複数の入射光学系は、前記偏向器の同一の偏向面に光束を入射させることを特徴とする請求項１乃至９のいずれか一項に記載の光走査装置。
【請求項１１】
請求項１乃至１０のいずれか一項に記載の光走査装置と、該光走査装置によって前記複数の被走査面に形成された静電潜像をトナー像として現像する現像器と、現像された前記トナー像を被転写材に転写する転写器と、転写された前記トナー像を前記被転写材に定着させる定着器と、を備えることを特徴とする画像形成装置。
【請求項１２】
請求項１乃至１０のいずれか一項に記載の光走査装置と、外部機器から出力されたコードデータを画像信号に変換して前記光走査装置に入力するプリンタコントローラと、を備えることを特徴とする画像形成装置。
【手続補正２】
【補正対象書類名】明細書
【補正対象項目名】０００９
【補正方法】変更
【補正の内容】
【０００９】
本発明に係る光走査装置は、複数の光束を偏向して複数の被走査面を主走査方向に走査する偏向器と、副走査断面において互いに異なる入射角で偏向器に光束を入射させる複数の入射光学系と、偏向器によって偏向された複数の光束を複数の被走査面に導光する結像光学系と、を備え、結像光学系は、副走査方向において連結部を介して互いに連結された第１及び第２の光学部を有しており、連結部を含む第１の平面内において、第１の光学部の第１の入射面と第２の光学部の第２の入射面とは、第１の点の上で重なっており、第１の平面内において、主走査方向における第１の点に対して一方の側の第１の領域では、第１の入射面が光軸方向において第２の入射面よりも偏向器の側にあり、第１の平面内において、主走査方向における第１の点に対して他方の側の第２の領域では、第２の入射面が光軸方向において第１の入射面よりも偏向器の側にある、ことを特徴とする。
【手続補正３】
【補正対象書類名】明細書
【補正対象項目名】００１７
【補正方法】変更
【補正の内容】
【００１７】
入射光学系ＬＡ１、ＬＡ２、ＬＡ３、ＬＡ４はそれぞれ、光源１、カバーガラス９、開口絞り２、及びアナモフィックコリメータレンズ３を備えている。
光源１は、発光点を有する半導体レーザーである。
カバーガラス９は、光源１の防塵のために、光源１に隣接して配置されている。
開口絞り２は、光源１から射出された光束を所望の形状に切り取るものであり、本実施形態では矩形絞りとしている。ただし開口絞り２は、必要に応じて、楕円等の任意の形状の絞りであっても本発明に影響しない。
アナモフィックコリメータレンズ３は、光源１から射出され、開口絞り２で所望の形状に切り取られた光束の収束度を変更するものであり、ここでは、主走査方向には略平行光、副走査方向にはポリゴンミラー４の偏向面４ａ近傍で集光するような光束に変換している。尚、略平行光とは、弱発散光、弱収束光および平行光を含むものとする。また、アナモフィックコリメータレンズ３の代わりに、光源１から射出された光束を略平行光に変換するコリメータレンズと、該略平行光をポリゴンミラー４の偏向面４ａ近傍で副走査方向にのみ集光させるシリンドリカルレンズとを、直列に配置しても構わない。
【手続補正４】
【補正対象書類名】明細書
【補正対象項目名】００５３
【補正方法】変更
【補正の内容】
【００５３】
第２結像レンズ５ｂ１は、感光ドラム８ｙ、８ｍ用の結像レンズであり、第２結像レンズ５ｂ２は、感光ドラム８ｃ、８ｋ用の結像レンズである。第２結像レンズ５ｂ１、５ｂ２はそれぞれ、互いに異なる光学性能を有する２つの光学機能部（光学部）が副走査方向に配列された多段トーリックレンズである。それぞれの光学機能部を、通過する光束が到達する感光ドラム面８ｙ、８ｍ、８ｃ、８ｋに対応させて、５ｂ１ｙ、５ｂ１ｍ、５ｂ２ｃ、５ｂ２ｋと称する。
ここで、光学機能部とは、第２結像レンズ５ｂ１、５ｂ２において、光束が入射する第１面および光束が出射する第２面をあわせたものであり、すなわち、第１面はポリゴンミラー４に近い側、第２面は感光ドラム８に近い側に対応している。
【手続補正５】
【補正対象書類名】明細書
【補正対象項目名】００５４
【補正方法】変更
【補正の内容】
【００５４】
以降、本発明の具体的な構成を、第２結像レンズ５ｂ２、すなわち光学機能部５ｂ２ｃ（第１の光学部）及び５ｂ２ｋ（第２の光学部）のみを用いて説明する。なお、第２結像レンズ５ｂ１、すなわち光学機能部５ｂ１ｙ、５ｂ１ｍについても以下で述べる構成と同様の構成をとればよい。
【手続補正６】
【補正対象書類名】明細書
【補正対象項目名】００６９
【補正方法】変更
【補正の内容】
【００６９】
第２結像レンズ５ｂ２の第１面及び第２面どちらか一方における、副走査方向上側の光学機能部の軸上像高を通過するマージナル光線の副走査方向光線高さ及び副走査方向下側の光学機能部の最軸外像高を通過するマージナル光線の副走査方向光線高さの中間位置をＺ0（ｍｍ）とする（特に、第１面（入射面）に対してはＺｉ、第２面（出射面）に対してはＺｅ、と呼ぶことがある）。そのとき、連結部分の副走査方向位置Ｚ1（ｍｍ）は、以下の式（７）のように設定することが好ましい。
【手続補正７】
【補正対象書類名】明細書
【補正対象項目名】００７４
【補正方法】変更
【補正の内容】
【００７４】
すなわち、本実施形態に係る光走査装置においては、連結部分を含む面（第１の平面）内において、第１の光学機能部の第１面（第１の入射面）及び第２の光学機能部の第１面（第２の入射面）が少なくとも第１の点上で重なり、且つ／又は、第１の光学機能部の第２面（第１の出射面）及び第２の光学機能部の第２面（第２の出射面）が少なくとも第２の点上で重なるように構成している。
換言すると、本実施形態に係る光走査装置においては、連結部を含む平面内において、第１及び第２の光学機能部の入射面同士及び出射面同士の少なくとも一方は、少なくとも１つの点上で重なるように構成している。
そして、主走査方向における第１の点の一方の側の所定の領域（第１の領域）において、第１の光学機能部の光軸方向に沿って見たときに、連結部分を含む面内で、第１の光学機能部の第１面（第１の入射面）は第２の光学機能部の第１面（第２の入射面）より偏向器側にある。且つ、第１の点の他方の側の所定の領域（第２の領域）において、第１の光学機能部の光軸方向に沿って見たときに、連結部分を含む面内で、第２の光学機能部の第１面（第２の入射面）は第１の光学機能部の第１面（第１の入射面）より偏向器側にあるように構成している。
そして、主走査方向における第２の点の前記一方の側の所定の領域（第３の領域）において、第１の光学機能部の光軸方向に沿って見たときに、連結部分を含む面内で、第２の光学機能部の第２面（第２の出射面）は、第１の光学機能部の第２面（第１の出射面）より偏向器側にある。且つ、第２の点の他方の側の所定の領域（第４の領域）において、第１の光学機能部の光軸方向に沿って見たときに、連結部分を含む面内で、第１の光学機能部の第２面（第１の出射面）は、第２の光学機能部の第２面（第２の出射面）より偏向器側にあるように構成している。
第１の点は、主走査方向の最大像高間の長さ（主走査方向の有効径）をａ：（１０−ａ）に分ける位置、第２の点は、ｂ：（１０−ｂ）に分ける位置（ａ及びｂは８以上）であるように構成している。